(57)【要約】【課題】本発明は回転ドラムの濾過作用と上記濾液受容セルによる濾液吸引力とにより、同ドラムによるパルプ縣濁液や食物縣濁液の精選又は洗浄性能を著しく向上するドラム形の精選又は洗浄装置を提供する。【解決手段】横架せる回転ドラム１の外周面の周方向に複数配設した濾液受容セル３１により回転ドラム１の外周面に面する濾液受容室３４を画成し、各セル３１のドラム回転方向と反対側の端部に回転ドラム形成壁を通して同セルの受容室３４内に受容された濾液を液槽１１内に吐出する吐出口３２を設け、回転ドラム１の回転に伴い上記セル３１が液槽１１の液面１７上へ脱出する過程において同セル３１の受容室内濾液を吐出口３２を通じて液槽１１内に吐出せしめ、該濾液吐出によりセル３１の受容室３４が面する回転ドラム形成壁に同受容室３４内へ向けての濾液吸引力を発生せしめる構成としたドラム形の精選又は洗浄装置。【選択図】        図１
2005206983.tif 000002
【特許請求の範囲】
【請求項１】
横架された通気通水構造を有する回転ドラムの下円部を液槽内に浸水せしめ、該回転ドラム内に縣濁液を投入し、上記液槽内に浸水したドラム下円部における該通気通水構造の回転ドラム形成壁の濾過作用により上記縣濁液中の縣濁物の精選又は洗浄を行うようにしたドラム形の精選又は洗浄装置において、上記回転ドラムの外周面に濾液受容セルを設け、該濾液受容セルにより回転ドラムの外周面に面する濾液受容室を画成し、該濾液受容セルを回転ドラムの周方向に複数配置し、各濾液受容セルのドラム回転方向と反対側の端部に回転ドラム形成壁を通して同セルの濾液受容室内に受容された濾液を液槽内に吐出する吐出口を設け、上記回転ドラムの回転に伴い上記濾液受容セルが液槽の液面上へ脱出する過程において同セルの濾液受容室内濾液を上記吐出口を通じて液槽内に吐出せしめ、該濾液吐出により上記濾液受容セルの濾液受容室が面する回転ドラム形成壁に同受容室内へ向けての濾液吸引力を発生せしめる構成としたことを特徴とするドラム形の精選又は洗浄装置。
【請求項２】
上記濾液受容セルのドラム回転方向と逆方向の後端面を開放して上記吐出口を形成したことを特徴とする請求項１記載のドラム形の精選又は洗浄装置。
【請求項３】
上記濾液受容セルのドラム回転方向と逆方向の後壁に吐出管を設け上記吐出口を形成したことを特徴とする請求項１記載のドラム形の精選又は洗浄装置。
【請求項４】
上記縣濁液がパルプ縣濁液であることを特徴とする請求項１記載のドラム形の精選又は洗浄装置。
【発明の詳細な説明】
【技術分野】
【０００１】
本発明はドラム形の精選又は洗浄装置、例えば製紙原料となるパルプ縣濁液中や食物の縣濁液中から異物を取り除く精選装置、又はこれら縣濁液中から汚損物を取り除く洗浄装置に関する。
【背景技術】
【０００２】
製紙原料となるパルプ縣濁液中、殊にパルパー等により離解された古紙パルプから成るパルプ縣濁液中には異物、例えば結束紐等に起因する樹脂屑、タール粒、金属製綴り具等の金属異物等が混入されている。
【０００３】
従来、上記パルプ縣濁液中から異物を取り除き精選紙料を得るための装置としては、サイクロン装置、バイブレーション装置、遠心分離装置等が使用されている。
【０００４】
他方出願人が所有する特許文献１は横架した回転ドラム内にパルプ縣濁液を投入し、該回転ドラムの回転に伴い、投入パルプ縣濁液を該回転ドラムの内周面に設けた掻き上げフィンにて掻き上げつつ落下する動作を繰り返し、パルプ縣濁液中のインク成分をドラム周壁に設けた通気通水孔を通じて濾過脱水するドラム形洗浄装置を提供している。
【特許文献１】特許第３２３１７４８号公報
【発明の開示】
【発明が解決しようとする課題】
【０００５】
本発明は旧来形のサイクロン装置、バイブレーション装置、遠心分離装置等の各形式の原理を用いず、上記特許文献１に示す回転ドラム方式を採用し、該回転ドラムにてパルプ縣濁液、食物縣濁液中の異物を適切に除去し精選紙料又は精選食物（縣濁物）を得ることができるドラム形の精選装置、即ち一定の大きさの縣濁物を回転ドラム形成壁の通気通水孔を通過せしめて精選する精選装置を提供する。
【０００６】
又は回転ドラムにてパルプ縣濁液中のインク成分、食物縣濁液中の塵埃等の汚損物を適切に除去し洗浄紙料又は洗浄食物（縣濁物）を得ることができるドラム形の洗浄装置、即ち塵埃類を回転ドラム形成壁の通気通水孔を通過せしめて洗浄する洗浄装置を提供する。
【課題を解決するための手段】
【０００７】
本発明はドラム形成壁を通気通水構造とした回転ドラムの下円部を液槽内に浸水せしめ、該回転ドラム内に縣濁液を投入し、上記液槽内に浸水したドラム下円部における該回転ドラム形成壁の濾過作用により上記縣濁液中の縣濁物の精選又は洗浄を行うようにしたドラム形の精選又は洗浄装置に係る。
【０００８】
上記ドラム形の精選又は洗浄装置の精選能力及び洗浄能力を向上する手段として、上記回転ドラムの外周面に濾液受容セルを設け、該濾液受容セルにより回転ドラムの外周面に面する濾液受容室を画成する。
【０００９】
上記濾液受容セルは回転ドラムの周方向に複数配置し、各濾液受容セルのドラム回転方向と反対側の端部に回転ドラム形成壁を通して同セルの濾液受容室内に受容された濾液を液槽内に吐出する吐出口を設ける。
【００１０】
上記濾液受容セルは上記回転ドラムの回転に伴い液槽の液内への浸入と脱出を繰り返し、該液槽の液面上へ脱出する過程において同セルの濾液受容室内濾液を上記吐出口を通じて液槽内に吐出せしめ、該濾液吐出により上記濾液受容セルの濾液受容室が面する回転ドラム形成壁に同受容室内へ向けての濾液吸引力を発生せしめる。上記縣濁液は例えばパルプ縣濁液である。
【００１１】
上記の如く回転ドラムの下円部を液槽内に浸水せしめ、該下円部のドラム形成壁の濾過作用により縣濁物の精選又は洗浄を行う際に、上記濾液受容セルでカバーされたドラム形成壁、即ち濾液受容セルの濾液受容室に面するドラム形成壁に濾液吸引力を生じて、該ドラム形成壁による精選又は洗浄性能を大幅に向上せしめる。
【００１２】
上記吐出口は上記濾液受容セルのドラム回転方向と逆方向の後端面を開放して形成する。又は上記濾液受容セルのドラム回転方向と逆方向の後壁に吐出管を設け上記吐出口を形成する。
【発明の効果】
【００１３】
本発明によれば、回転ドラムの濾過作用と上記濾液受容セルによる濾液吸引力とにより、同ドラムによるパルプ縣濁液や食物縣濁液の精選又は洗浄性能を著しく向上する。
【００１４】
又上記濾液吸引力により回転ドラム形成壁の通気通水孔を常時清掃し、その機能を健全に維持することができる。
【発明を実施するための最良の形態】
【００１５】
以下本発明を実施するための最良の形態を図１乃至図７に基づき説明する。
【００１６】
１はドラム形成壁に無数の通気通水孔２を有する通気通水構造の回転ドラムであり、該回転ドラム１の両端にベルト掛け筒部９を同一軸線に連設し、該ベルト掛け筒部９の外周面にドラム吊り駆動ベルト３を夫々回し掛けし、該ドラム吊り駆動ベルト３の各上端を駆動輪４に吊り掛けして同ドラム１を回転駆動可に横架し且つ架空支持する。
【００１７】
回転ドラム１は駆動輪４をモーター５にて回転駆動することにより横方向に回転する。
【００１８】
上記回転ドラム１を通気通水構造にする手段として、多数の丸孔又は溝孔から成る通気通水孔２を穿孔した多孔金属プレートを円筒形に曲げ加工して同ドラム１を形成する。又は金属メッシュを円筒形に張り上記ドラム１を形成する。
【００１９】
上記通気通水構造の回転ドラム１には一端開口面を覆う端板６の中心にドラム外からドラム内へ向け突入するパルプ縣濁液又は食物縣濁液又は廃水処理場における廃水縣濁液等の縣濁液Ｓを投入する投入パイプ１０を設け、該縣濁液投入パイプ１０の先端に下方へ向け開口せる縣濁液投入口７を設け、ドラム１他端面は開放し非濾過物Ｓ２の排出口８とする。
【００２０】
上記回転ドラム１の下円部を液槽１１の液面下に浸水して下部浸水ゾーンＺ１を形成し、該下部浸水ゾーンＺ１内に上記縣濁液投入口７からパルプ縣濁液等の縣濁液Ｓを投入し、ドラム下円部の濾過作用により濾過物Ｓ１を液槽１１内へ通過せしめ、非濾過物Ｓ２を排出口８より排出する。
【００２１】
上記回転ドラム１の内周面には同ドラム１と同一軸線に同ドラム１と一体回転する螺旋フィン等から成る送りフィン１２を設け、該送りフィン１２により上記投入口７から投入された縣濁液Ｓを投入側端部から排出口８へ向け送り出しながら、又同時に撹拌しながらドラム形成壁による濾過作用を生起せしめる。
【００２２】
又上記回転ドラム１を精選装置として用いる場合、上記回転ドラム下円部のドラム形成壁の濾過作用により該ドラム形成壁を通して精選縣濁物を濾過物Ｓ１として液槽１１内に通過せしめ、縣濁液Ｓ中の異物を非濾過物Ｓ２として排出口８から排出する。
【００２３】
上記回転ドラム１が精選装置である場合、上記送りフィン１２は縣濁液Ｓ中の非濾過物（異物）Ｓ２を排出口８へ送り出す機能を有する。
【００２４】
又上記回転ドラム１を洗浄装置として用いる場合、上記回転ドラム下円部のドラム形成壁の濾過作用により該ドラム形成壁を通して縣濁液Ｓ中の汚損物を濾過物Ｓ１として液槽１１内に通過せしめ、縣濁液Ｓ中の洗浄済み縣濁物を非濾過物Ｓ２として排出口８から排出する。
【００２５】
上記回転ドラム１が洗浄装置である場合、上記送りフィン１２は非濾過物（精選縣濁物）Ｓ２を排出口８へ送り出す機能を有する。
【００２６】
上記縣濁液Ｓは例えばパルプ縣濁液Ｓであり、この製紙原料となるパルプ縣濁液Ｓ中、殊にパルパー等により離解された古紙パルプから成るパルプ縣濁液Ｓ中には異物、例えば結束紐等に起因する樹脂屑、タール粒、金属製綴り具等の金属異物等が混入されている。
【００２７】
上記回転ドラム１は上記回転ドラム下円部のドラム形成壁の濾過作用により該ドラム形成壁を通して精選パルプ（精選縣濁物）を濾過物Ｓ１として液槽１１内に通過せしめ、縣濁液Ｓ中の上記異物を非濾過物Ｓ２として排出口８から排出する。即ち上記回転ドラム１をパルプ縣濁液Ｓの精選装置として用いることができる。
【００２８】
上記縣濁液Ｓは例えば食物縣濁液Ｓであり、該食物縣濁液Ｓの代表例としては、トウモロコシを粉砕し水で希釈した縣濁液Ｓが挙げられ、該トウモロコシ縣濁液Ｓ中の精選トウモロコシ粉（精選縣濁物）を濾過物Ｓ１として液槽１１内に通過せしめ、該トウモロコシ縣濁液Ｓ中の皮（異物）を濾過物Ｓ２として排出口８から排出する。即ち上記回転ドラム１をトウモロコシ縣濁液Ｓの精選装置として用いることができる。
【００２９】
又は上記回転ドラム１は廃水処理場における精選装置、即ち廃水（縣濁液）Ｓ中から異物を非濾過物Ｓ２として取り除く精選装置として適用される。
【００３０】
又は上記回転ドラム１は主として古紙パルプ縣濁液Ｓ中のインク成分等の汚損物を濾過物Ｓ１としてドラム下円部のドラム形成壁の濾過作用により液槽１１内へ取り除き、精選パルプを非濾過物Ｓ２として排出口８より排出するパルプ洗浄装置として用いることができる。
【００３１】
更に詳述すると、上記液槽１１は回転ドラム１の下位に設けられ、該液槽１１内の液（水）１６は同ドラム下円部のドラム形成壁の通気通水孔２を通してドラム１内に浸入し、同ドラム下円部内に液面１７を形成している。該液面１７のレベルはドラム回転角において３０度から９０度の範囲が好ましい。何れにしても縣濁液投入口７の下方に下部浸水ゾーンＺ１における液面１７を設定する。
【００３２】
上記縣濁液投入口７から投入された縣濁液Ｓはドラム１内の液１６内に落下され、送りフィン１２により排出口８側へ向け送り出しつつ、精選紙料等の精選物をドラム下円部の通気通水孔２を濾過物Ｓ１として通過せしめドラム外の液槽１１内の液１６内へ排出する。
【００３３】
更に上記下部浸水ゾーンＺ１における通気通水孔２を通過しない異物等の非濾過物Ｓ２は送りフィン１２により下部浸水ゾーンＺ１の終端から排出口８を通してドラム外方へ排出する。
【００３４】
上記回転ドラム１による精選性能、洗浄性能を向上する手段として、図３，図４，図５等に示す如く、上記回転ドラム１の外周面に濾液受容セル３１を設け、該濾液受容セルにより回転ドラムの外周面に面する濾液受容室３４を画成する。
【００３５】
上記濾液受容セル３１を回転ドラム１の周方向に等ピッチで複数配置し、各濾液受容セル３１のドラム回転方向と反対側の端部に回転ドラム形成壁を通して同セル３１の濾液受容室３４内に受容された濾液（濾過物Ｓ１）を液槽１１内に吐出する吐出口３２を設ける。
【００３６】
詳述すると、上記濾液受容セル３１は回転ドラム１の回転に伴い液槽１１内の液１６内へ順次浸入し、且つ液１６内から順次脱出する。よって濾液受容セル３１は上記下部浸水ゾーンＺ１を形成するドラム１の周壁に配置される。
【００３７】
上記濾液受容セル３１は天壁３１ａと、該天壁３１ａのドラム回転方向の前端に連設された前壁３１ｂと、天壁３１ａのドラム軸線方向の左右側端に連設された左右側壁３１ｃとを有し、該天壁３１ａ、前壁３１ｂ、側壁３１ｃの内端を回転ドラム形成壁に溶接する等して密着せしめ、該天壁３１ａ、前壁３１ｂ、側壁３１ｃで回転ドラム形成壁の外周面を局部的に覆いつつ、該回転ドラムの外周面、即ちドラム形成壁の外周面に面する濾液受容室３４を画成する。
【００３８】
そして図６に示すように、上記濾液受容セル３１のドラム回転方向と逆方向の後端面を開放して上記吐出口３２を形成する。
【００３９】
又は図７に示すように、上記濾液受容セル３１は上記天壁３１ａと、上記前壁３１ｂと、上記側壁３１ｃと、ドラム回転方向と逆方向の後壁３１ｄとを有し、該天壁３１ａ、前壁３１ｂ、側壁３１ｃ、後壁３１ｄにより回転ドラム形成壁を局部的に覆いつつ、該回転ドラム形成壁の局部に面する濾液受容室３４を画成し、上記後壁３１ｄからドラム回転方向とは逆方向に突出する吐出管３３を設ける。
【００４０】
上記吐出管３３はドラム回転方向の端部において濾液受容室３４と連通し、ドラム回転方向とは逆方向の端部において濾液吐出口３２を形成する。
【００４１】
図６Ａ，図７Ａに示すように、上記回転ドラム１はその回転に伴い液槽１１の液面１７を通して液１６内へ浸水されるが、濾液受容セル３１の後端の吐出口３２が液面１７内に没入するまで、ドラム形成壁を通して濾液受容室３４内へ濾液（濾過物Ｓ１）が受容される。
【００４２】
そして回転ドラム１が更に回転を進行して濾液受容セル３１が液槽１１の液１６内へ完全に没入すると、上記濾液受容室３４内に保有しつつ、限定された量の液１６が吐出口３２を通して濾液受容室３４内へ浸入する。
【００４３】
更に図６Ｂと図７Ｂに示すように、上記濾液受容セル３１が液槽１１の液面１７上へ脱出する過程において、同セル３１内濾液（濾過物Ｓ１）を上記吐出口３２を通じて液槽１１内に吐出せしめ、該濾液吐出により上記濾液受容セル３１でカバーされた領域の回転ドラム形成壁、即ち上記濾液受容セル３１の濾液受容室３４が面する回転ドラム形成壁に同受容室３４内へ向けての濾液吸引力を発生せしめる。
【００４４】
即ち濾液受容セル３１の前壁３１ｂが液面１７上から脱出し、更に吐出口３２が液面１７上へ脱出するまで上記濾液吸引力を発生せしめ、図６Ｃと図７Ｃに示すように、吐出口３２が液面１７上へ脱出を完了した直後に濾液受容室３４内の濾液を一時に吐出し、瞬間的に大きな濾液吸引力を発生せしめる。
【００４５】
上記吐出管３３は上記濾液吸引力を発生せしめる行程をより長くし、吐出管３３が液面１７上へ脱出するまで、或いは脱出した直後においても濾液吐出を続行し、上記濾液吸引力を発生せしめる。
【００４６】
例えば上記回転ドラム１を図３に示す如く真円筒ドラムにて形成し、該回転ドラム１の略全長を液槽１１内に浸水せしめて浸水ゾーンＺ１を形成し、前記縣濁液投入口７、非濾過物排出口８、送りフィン１２の各要素を具備させつつ、上記下部浸水ゾーンＺ１を形成するドラム外周面に上記濾液受容セル３１を配設する。
【００４７】
又例えば上記回転ドラム１を一端側に収斂せる傾斜ドラムにて形成し、その大径側端部に前記縣濁液投入口７を設けると共に、小径側端部に非濾過物排出口８を設け、更に傾斜ドラム１の傾斜内周面に沿って前記送りフィン１２を設け、該傾斜ドラム１の全長又は小径端（排出口８）を除く全長を液槽１１内に浸水せしめて下部浸水ゾーンＺ１を形成し、該下部浸水ゾーンＺ１を形成するドラム外周面に上記濾液受容セル３１を配設する。
【００４８】
又例えば図４に示すように、上記回転ドラム１を真円筒にて形成し、又は傾斜筒にて形成し、又は真円筒と傾斜筒の複合ドラムにて形成し、前段のドラム部１ａ（真円筒から成るドラム部）の形成壁に大径の通気通水孔２を設け、後段のドラム部１ｂ（真円筒又は傾斜筒から成るドラム部）の形成壁に小径の通気通水孔２を設け、前段のドラム部１ａを前段の液槽１１ａ内へ浸水せしめると共に、後段のドラム部１ｂを後段の液槽１１ｂ内へ浸水せしめる。
【００４９】
上記前段のドラム部１ａの外周面に前記濾液受容セル３１を等ピッチで配設すると共に、後段のドラム部１ａの外周面に同濾液受容セル３１を等ピッチで配設する。
【００５０】
よって前段のドラム部１ａで小粒度の濾過物Ｓ１を前段の濾液受容セル３１を介して前段の液槽１１ａ内へ通過せしめ、後段のドラム部１ｂで大粒度の濾過物Ｓ１を後段の濾液受容セル３１を介して後段の液槽１１ｂ内へ通過せしめる。
【００５１】
上記前段と後段の液槽１１ａ，１１ｂ間を仕切る仕切り板３５はその上端を液面１７上へ突出して、前段と後段のドラム部１ａ，１ｂ間に形成した環状溝３６内へ受け入れ、前段と後段の液槽１１ａ，１１ｂ間における交流を阻止する。
【００５２】
次に図５は上記回転ドラム１を真円筒と傾斜筒の組み合わせにより形成した精選装置を示しており、以下その具体構造を詳述する。
【００５３】
上記横架された回転ドラム１の縣濁液投入口７側のドラム部分で上記下部浸水ゾーンＺ１を形成する。即ち回転ドラム１の一端側下円部を液槽１１内に浸水して下部浸水ゾーンＺ１を形成すると共に、該下部浸水ゾーンＺ１に連続する回転ドラム部分、即ち回転ドラム１の他端側で非浸水ゾーンＺ２を形成する。
【００５４】
上記下部浸水ゾーンＺ１を形成する回転ドラム形成壁の通気通水孔２を通じ濾液（パルプ縣濁液Ｓ等の上記縣濁液Ｓ中の濾過物Ｓ１（精選物））を上記濾液受容セル３１の濾液受容室３４内へ受容し、前記した通り該濾液受容室３４内へ受容した濾液を濾液受容セル３１が液面１７から脱出する過程において吐出口３２を通じて上記液槽１１内の液１６内へ排出せしめると共に、該下部浸水ゾーンＺ１における通気通水孔２を通過しない異物等の非濾過物Ｓ２を上記非浸水ゾーンＺ２へ排出し、排出口８から外方へ排出する。
【００５５】
上記下部浸水ゾーンＺ１は縣濁液Ｓの投入側に配した真円筒のドラム部１８と、該ドラム部１８に連設し排出口８側に配した傾斜ドラム部１９にて形成し、該真円等のドラム部１８の外周面に上記濾液受容セル３１を配設する。
【００５６】
又は上記濾液受容セル３１をドラム部１８と１９の夫々に配設する。即ちドラム周方向に配した複数の濾液受容セル３１をドラム軸線方向に複段に並設する。
【００５７】
上記傾斜ドラム部１９は排出口８側へ向け漸次縮径し、該傾斜ドラム部１９の下部上り傾斜面２０で上記異物等の非濾過物Ｓ２を案内し非浸水ゾーンＺ２を形成する回転ドラム部の下部内面へ排出する。
【００５８】
上記下部浸水ゾーンＺ１を形成する液槽１１内の液面１７は上記傾斜ドラム部１９の終端、即ち下部上り傾斜面２０の上端に達している。
【００５９】
上記回転ドラム１の下部浸水ゾーンＺ１は真円筒から成る回転ドラム部１８にて形成された濾過ゾーンＺ１ａと、傾斜ドラム部１９から成る濾過ゾーンＺ１ａとを有している。
【００６０】
上記非浸水ゾーンＺ２を形成する回転ドラム部には、上記下部浸水ゾーンＺ１の終端側に排出口８へ向け上り傾斜となる傾斜ドラム部２８を設け、該傾斜ドラム部２８の排出口８側の小径側端部に真円筒のドラム部２９を連設する。
【００６１】
上記下部浸水ゾーンＺ１に傾斜ドラム部１９を設ける場合には、該傾斜ドラム部１９と上記非浸水ゾーンＺ２の傾斜ドラム部２８とを連設し、両者を同じ傾斜角度で縮径する。
【００６２】
即ち排出口８へ向け縮径するドラム部の拡径端側に上記傾斜ドラム部１９を形成し、縮径端側に上記傾斜ドラム部２８を形成する。
【００６３】
前記送りフィン１２を形成する螺旋フィンは真円筒から成るドラム部１８と、上記傾斜ドラム部１９と、真円筒から成るドラム部２９に亘り連続して設け、該送りフィン１２により非濾過物Ｓ２をドラム部１８から１９へ送り出し、ドラム部１９から２９へ送り出し排出口８から排出する。
【００６４】
更に具体例として、上記下部浸水ゾーンＺ１を形成する液槽１１を上記非浸水ゾーンＺ２を形成する回転ドラム部の下位に達するように設け、該液槽１１内の液１６の液面１７を非浸水ゾーンＺ２の下位に配する。
【００６５】
上記非浸水ゾーンＺ２には異物等の非濾過物Ｓ２と共に濾過物Ｓ１（精選物）の一部が送り出され、この濾過物Ｓ１を非浸水ゾーンＺ２を形成する回転ドラム部形成壁の通気通水孔２を通じ上記液槽１１内へ落下せしめ、下部浸水ゾーンＺ１において透過された精選物（濾過物Ｓ１）と合流する。
【００６６】
斯くして上記濾液受容セル３１の働きで液槽１１内に精選された濾過物Ｓ１が得られ、これを液槽１１の端部に設けたハンドル２５にて高さ調整可能な液面調整ゲート２６を超えて溢流させつつ濾過物出口２７から吐出する。この良質な精選濾過物Ｓ１、例えば精選パルプは紙抄き原料として供給される。
【００６７】
上記回転ドラム形成壁の内側又は外側に同ドラム形成壁から上記下部浸水ゾーンＺ１内へ縣濁物を流し落とすシャワーパイプ２２を設け、該流し落とされた縣濁物を上記回転ドラム形成壁の通気通水孔２を通して上記液槽１１内へ通過せしめる構成とする。
【００６８】
上記シャワーパイプ２２は上記下部浸水ゾーンＺ１を形成する回転ドラム部１８，１９の軸線方向に沿って延設し、該シャワーパイプ２２の長手に間隔を置いて設けたノズルから洗浄水を液面１７から脱出直後のドラム形成壁に噴射し、該ドラム形成壁の内面に付着したパルプ等の縣濁物を流し落とす。
【００６９】
即ち下部浸水ゾーンＺ１の液面１７から脱した回転ドラム部１８，１９の内周面には縣濁物が付着しており、これを上記シャワーパイプ２２にて液槽１１内へ流し落とし、下部浸水ゾーンＺ１におけるドラム形成壁の濾過機能を保全する。
【００７０】
同様にシャワーパイプ２２を上記非浸水ゾーンＺ２を形成する回転ドラム部２８，２９の軸線方向に沿って延設し、該シャワーパイプ２２の長手に間隔を置いて設けたノズルから洗浄水を液面１７から脱出直後のドラム形成壁に噴射し、該ドラム形成壁の内面に付着した縣濁物を流し落とす。
【００７１】
即ち非浸水ゾーンＺ２の回転ドラム部２８，２９の内周面には縣濁物が付着しており、これを上記シャワーパイプ２２にて液槽１１内へ流し落とし、非浸水ゾーンＺ２におけるドラム形成壁の濾過機能を保全することができる。
【００７２】
上記シャワーパイプ２２は下部浸水ゾーンＺ１と非浸水ゾーンＺ２の夫々に別個に設けるか、又はシャワーパイプ２２を下部浸水ゾーンＺ１から非浸水ゾーンＺ２に亘って連設する。少なくともシャワーパイプ２２を下部浸水ゾーンＺ１に沿って延在させつつ、その端部を非浸水ゾーンＺ２の始端部に及ぶように延在せしめる。
【００７３】
本発明によれば、回転ドラム１の濾過作用と上記濾液受容セル３１による濾液吸引力とにより、同ドラム１によるパルプ縣濁液Ｓや食物縣濁液Ｓの精選又は洗浄性能を著しく向上する。
【００７４】
又上記濾液吸引力により回転ドラム形成壁の通気通水孔２を常時清掃し、その機能を健全に維持することができる。
【図面の簡単な説明】
【００７５】
【図１】濾液受容セルの第一例を示すドラム形の精選又は洗浄装置の横断面図。
【図２】濾液受容セルの第二例を示すドラム形の精選又は洗浄装置の横断面図。
【図３】真円筒のドラムで形成した精選又は洗浄装置の縦断面図。
【図４】二段円筒のドラムで形成した精選又は洗浄装置の縦断面図。
【図５】真円筒のドラムと傾斜筒のドラムで形成した精選又は洗浄装置の縦断面図。
【図６】図１に示した濾液受容セルの第一例の動作を示し、Ａは液槽の液面内へ突入する状態を示し、Ｂ，Ｃは同液面から脱出する過程を示す横断面図。
【図７】図２に示した濾液受容セルの第二例の動作を示し、Ａは液槽の液面内へ突入する状態を示し、Ｂ，Ｃは同液面から脱出する過程を示す横断面図。
【符号の説明】
【００７６】
１…回転ドラム、１ａ…前段のドラム部、１ｂ…後段のドラム部、２…通気通水孔、３…ドラム吊り駆動ベルト、４…駆動輪、５…モーター、６…端板、７…縣濁液投入口、８…排出口、９…ベルト掛け筒部、１０…縣濁液投入パイプ、１１…液槽、１１ａ…前段の液槽、１１ｂ…後段の液槽、１２…送りフィン、１６…液、１７…液面、１８…真円筒のドラム部、１９…傾斜ドラム部、２０…下部上り傾斜面、２２…シャワーパイプ、２５…ハンドル、２６…液面調整ゲート、２７…濾過物出口、２８…傾斜ドラム部、２９…真円筒のドラム部、３１…濾液受容セル、３１ａ…天壁、３１ｂ…前壁、３１ｃ…左右側壁、３１ｄ…後壁、３２…吐出口、３３…吐出管、３４…濾液受容室、３５…仕切り板、３６…環状溝、Ｓ…縣濁液、Ｓ１…濾過物、Ｓ２…非濾過物、Ｚ１…下部浸水ゾーン、Ｚ２…非浸水ゾーン、Ｚ１ａ…洗浄ゾーン
【図１】
2005206983.tif 000003
【図２】
2005206983.tif 000004
【図３】
2005206983.tif 000005
【図４】
2005206983.tif 000006
【図５】
2005206983.tif 000007
【図６】
2005206983.tif 000008
【図７】
2005206983.tif 000009